(57)【要約】【課題】肉厚が薄くて加工精度の低い絞り板を用いることができ、その結果、モータの小型化と製造コストの低減を達成することができる内視鏡用光源装置を提供すること。【解決手段】共通の一本のピン５と係合する案内溝１１が各々に形成された一対の絞り板１０が遮光量を可変することができるように配置され、一対の絞り板１０又はピン５の少なくとも一方を動かすことにより、ピン５に対する案内溝１１の係合位置が変化して一対の絞り板１０が開閉方向に駆動され、遮光量が変化するようにした内視鏡用光源装置において、ピン５に、互いに独立して各案内溝１１の内壁面と係合する二つのベアリング２０を直列に並べて取り付けた。【選択図】      図１
2004361756.tif 000002
【特許請求の範囲】
【請求項１】
光源から放射された照明光を内視鏡のライトガイドに入射させる照明光路の途中に、共通の一本のピンと係合する案内溝が各々に形成された一対の絞り板が遮光量を可変することができるように配置され、上記一対の絞り板又は上記ピンの少なくとも一方を動かすことにより、上記ピンに対する上記案内溝の係合位置が変化して上記一対の絞り板が開閉方向に駆動され、上記遮光量が変化するようにした内視鏡用光源装置において、
上記ピンに、互いに独立して上記各案内溝の内壁面と係合する二つのベアリングを直列に並べて取り付けたことを特徴とする内視鏡用光源装置。
【請求項２】
上記ベアリングが転がり軸受けである請求項１記載の内視鏡用光源装置。
【請求項３】
上記二つのベアリング間にスペーサが挟着されている請求項１又は２記載の内視鏡用光源装置。
【発明の詳細な説明】
【０００１】
【発明の属する技術分野】
この発明は内視鏡用光源装置に関する。
【０００２】
【従来の技術】
内視鏡用光源装置は一般に、内視鏡のライトガイドに照明光を単に入射させるだけでなく、内視鏡観察の状況に合わせてライトガイドへの入射光量を可変することができるようになっている。
【０００３】
そのようなライトガイドへの入射光量を可変する機構として、例えば、光源から放射された照明光を内視鏡のライトガイドに入射させる照明光路の途中に、共通の一本のピンと係合する案内溝が各々に形成された一対の絞り板を遮光量を可変に配置し、一対の絞り板又はピンの少なくとも一方を動かすことにより、ピンに対する案内溝の係合位置を変化させて一対の絞り板を開閉方向に駆動し、それにより遮光量が変化するようにしたものがある（例えば、特許文献１）。
【０００４】
【特許文献１】
特開２００１−１０８９１７
【０００５】
【発明が解決しようとする課題】
上述のような構成をとる内視鏡用光源装置においては、ピンと案内溝との間の摩擦抵抗が大きいと作動や磨耗等の点で問題が生じ、案内溝が形成されている絞り板の肉厚が薄いとそのような問題が生じ易い。
【０００６】
そのため、絞り板をある程度以上厚くする必要があり、それに伴って絞り板の重量が増大するので絞り板を駆動するモータが大型化してしまう欠点があった。また、案内溝の内壁面にざらつきがないように加工精度を精密にする必要があるので、製造面でコスト高にもなっていた。
【０００７】
そこで本発明は、肉厚が薄くて加工精度の低い絞り板を用いることができ、その結果、モータの小型化と製造コストの低減を達成することができる内視鏡用光源装置を提供することを目的とする。
【０００８】
【課題を解決するための手段】
上記の目的を達成するため、本発明の内視鏡用光源装置は、光源から放射された照明光を内視鏡のライトガイドに入射させる照明光路の途中に、共通の一本のピンと係合する案内溝が各々に形成された一対の絞り板が遮光量を可変することができるように配置され、一対の絞り板又はピンの少なくとも一方を動かすことにより、ピンに対する案内溝の係合位置が変化して一対の絞り板が開閉方向に駆動され、遮光量が変化するようにした内視鏡用光源装置において、ピンに、互いに独立して各案内溝の内壁面と係合する二つのベアリングを直列に並べて取り付けたものである。
【０００９】
なお、ベアリングが転がり軸受けであってもよく、二つのベアリング間にスペーサが挟着されていてもよい。
【００１０】
【発明の実施の形態】
図面を参照して本発明の実施例を説明する。
図３は内視鏡用光源装置を示しており、内視鏡のライトガイドコネクタ２０が着脱自在に接続されている。
【００１１】
ライトガイドコネクタ２０の突端に配置された照明用ライトガイドファイバ２の入射端面に対向して光源ランプ１が配置され、光源ランプ１から放射された照明光が収束してライトガイドファイバ２に入射する。
【００１２】
光源ランプ１とライトガイドファイバ２との間の照明光路Ｌの途中には、ステップモータ等からなる駆動モータ３によって開閉駆動される一対の絞り板１０が遮光量可変に可動に配置されている。符号４〜７については、他図の説明中において説明する。
【００１３】
図４と図５は、絞り板１０部分の正面図と平面図である。ただし、後述するＣリング１４は図示が省略されている。
一対の絞り板１０は、照明光路Ｌを左右両側から挟み付けるように配置されて、一端側において同じ回動支軸４を中心に回動するように連結されている。回動支軸４は、駆動モータ３によって回転駆動されるアーム６の先端に突設されている。
【００１４】
駆動モータ３が取り付けられている支持フレーム７は光源装置のフレームに対して固定されており、その支持フレーム７から突設された固定ピン５と係合する案内溝１１が、各絞り板１０に長手方向に向けて形成され、固定ピン５との係合部にはベアリング２０が配置されている。
【００１５】
また、各絞り板１０に突設されたスプリング取付ピン８には、照明光路Ｌを遮らないように引張コイルスプリング９の両端が取り付けられていて、一対の絞り板１０が常時閉じ方向に付勢されている。
【００１６】
このように構成された実施例の内視鏡用光源装置は、駆動モータ３を何分の一回転か回転させることにより、アーム６に取り付けられた回動支軸４の位置が制御され、それによって絞り板１０が移動する。
【００１７】
しかし、支持フレーム７に固定されている固定ピン５は常に移動しないので、案内溝１１が固定ピン５に沿って移動し、その結果、一対の絞り板１０が回動支軸４を中心に開閉するように駆動され、照明光路Ｌにおける遮光量が変化する。
【００１８】
図１と図２は、二つの絞り板１０に各々形成されている案内溝１１と固定ピン５との係合部の平面断面図と正面図であり、固定ピン５の先側細径部５ａには、互いに独立して各案内溝１１の内壁面と係合する二つのベアリング２０が直列に並べて取り付けられている。
【００１９】
なお、図１に示される符合１４は、固定ピン５からベアリング２０が外れないように固定ピン５の先端部分に取り付けられたＣリングであるが、図２ではその図示が省略されている。
【００２０】
各ベアリング２０は、固定ピン５の先側細径部５ａに外接する内輪２１と案内溝１１に内接する外輪２２との間に多数の硬質球２３を回転自在に配置した転がり軸受けであり、隣り合うベアリング２０の内輪２１と内輪２１との間、内輪２１と固定ピン５の段部との間、及び内輪２１とＣリング１４との間に固定スペーサ１５がきつく挟着されている。
【００２１】
また、外輪２２に外接して、二つの絞り板１０と絞り板１０との間、絞り板１０と固定ピン５の段部との間、及び絞り板１０とＣリング１４との間に滑りスペーサ１６が緩く挟着されている。
【００２２】
そのような構成により、回動支軸４が駆動モータ３で駆動されて二つの絞り板１０に形成されている案内溝１１が固定ピン５に対して移動する際には、その係合部においてベアリング２０の硬質球２３が内輪２１と外輪２２との間で転がることによる非常に小さな転がり摩擦しか発生しない。
【００２３】
したがって、絞り板１０の肉厚や案内溝１１の内壁面の加工精度等の設定について固定ピン５との間の摩擦を考慮する必要がないので、絞り板１０を薄肉化して駆動モータ３を小型化することができ、案内溝１１の加工は粗加工のままで問題がないので製造コストを大幅に低減することができる。
【００２４】
なお、本発明は上記実施の形態に限定されるものではなく、例えば、ベアリング２０を支持及び固定する構造等は如何様なものであっても差し支えない。
また、絞り板１０の回動支軸４を固定して、案内溝１１と係合する固定ピン５の位置を駆動モータ３で回動制御するようにした構成をとってもよく、回動支軸４の部分にベアリング２０を取り付けることもできる。
【００２５】
【発明の効果】
本発明によれば、一対の絞り板の各々に形成された案内溝と係合するピンに、互いに独立して各案内溝の内壁面と係合する二つのベアリングを直列に並べて取り付けたことにより、二つの案内溝がピンに対して移動する際にはベアリング部分における非常に小さな摩擦抵抗しか発生しないので、肉厚が薄くて加工精度の低い絞り板を用いることが可能になり、モータの小型化と製造コストの低減を達成することができる。
【図面の簡単な説明】
【図１】本発明の実施例の案内溝と固定ピンとの係合部の平面断面図である。
【図２】本発明の実施例の案内溝と固定ピンとの係合部の正面図である。
【図３】本発明の実施例の内視鏡用光源装置の側面断面図である。
【図４】本発明の実施例の絞り板部分の正面図である。
【図５】本発明の実施例の絞り板部分の平面図である。
【符号の説明】
３  駆動モータ
４  回動支軸
５  固定ピン（ピン）
１０  絞り板
１１  案内溝
１５  固定スペーサ
１６  滑りスペーサ
２０  ベアリング
Ｌ  照明光路
【図１】
2004361756.tif 000003
【図２】
2004361756.tif 000004
【図３】
2004361756.tif 000005
【図４】
2004361756.tif 000006
【図５】
2004361756.tif 000007